(57)【要約】【課題】  複数ユーザによる録画時におけるシステムの利便性を向上させる。【解決手段】  複数の利用者が行った録画予約なかに、同じ時間に同じカメラ装置で異なる撮影位置となるものがある場合（図４の６１、６２）、録画予約の撮影位置を巡回する映像を録画する。または、重なったそれぞれの録画予約の撮影位置を含む新たな撮影位置（図４の６４）を算出し、その撮影位置での映像を録画する。【選択図】  図４
2006129159.tif 000002
【特許請求の範囲】
【請求項１】
録画予約に基づきカメラ装置からの映像を録画する映像録画装置であって、
１つのカメラ装置に対し、同じ時間帯において複数のユーザから複数の録画予約があり、かつ前記それぞれの予約における撮像位置が異なるか否かを判断する判断手段と、
前記判断手段により複数のユーザの撮像位置が異なると判断した場合、各ユーザの撮像位置を巡回して撮影するよう前記カメラ装置を制御し、各撮像位置における映像を録画するよう制御する制御手段と、を有することを特徴とする映像録画装置。
【請求項２】
前記判断手段により複数のユーザの撮像位置が同じであると判断した場合、その同じ撮像位置を撮影するよう制御することを特徴とする請求項１に記載の映像録画装置。
【請求項３】
前記ユーザはネットワークを介して接続された端末装置から発せられた前記ユーザによる録画予約を受け付ける受付手段と、
前記受付手段により受け付けた録画予約を記憶する記憶手段と、をさらに有することを特徴とする請求項１または２に記載の映像録画装置。
【請求項４】
前記記憶手段は、前記録画予約として、前記カメラ装置のパン、チルト、ズーム位置の少なくとも１つを含むことを特徴とする請求項３に記載の映像録画装置。
【請求項５】
録画予約に基づきカメラ装置からの映像を録画する映像録画装置であって、
１つのカメラ装置に対し、同じ時間帯において複数のユーザから複数の録画予約があり、かつ前記それぞれの予約における撮像位置が異なるか否かを判断する判断手段と、
前記判断手段により複数のユーザの撮像位置が異なると判断した場合、各ユーザの撮像位置を含む広角範囲を撮影するよう前記カメラ装置を制御し、各撮像位置における映像を録画するよう制御する制御手段と、を有することを特徴とする映像録画装置。
【請求項６】
録画予約に基づきカメラ装置からの映像を録画する映像録画装置の制御方法であって、
１つのカメラ装置に対し、同じ時間帯において複数のユーザから複数の録画予約があり、かつ前記それぞれの予約における撮像位置が異なるか否かを判断し、複数のユーザの撮像位置が異なると判断した場合は、各ユーザの撮像位置を巡回して撮影するよう前記カメラ装置を制御し、各撮像位置における映像を録画するよう制御することを特徴とする映像録画装置の制御方法。
【請求項７】
録画予約に基づきカメラ装置からの映像を録画する映像録画装置の制御方法であって、
１つのカメラ装置に対し、同じ時間帯において複数のユーザから複数の録画予約があり、かつ前記それぞれの予約における撮像位置が異なるか否かを判断し、複数のユーザの撮像位置が異なると判断した場合は、各ユーザの撮像位置を含む広角範囲を撮影するよう前記カメラ装置を制御し、各撮像位置における映像を録画するよう制御することを特徴とする映像録画装置の制御方法。
【発明の詳細な説明】
【技術分野】
【０００１】
本発明は、録画予約に基づきカメラ装置からの映像を録画する映像録画装置及び映像録画装置の制御方法に関するものである。
【背景技術】
【０００２】
従来は、事前にサーバ側に録画されている映像に対して、複数のユーザが同時に接続し表示させる場合にかかるサーバ側負荷を、複数台でサーバを構成することで負荷を分散する方法が取られている（特許文献１を参照）。
【特許文献１】特開平８−５６３５２号公報
【発明の開示】
【発明が解決しようとする課題】
【０００３】
しかしながら、Ｖｉｄｅｏ  Ｏｎ  Ｄｅｍａｎｄや通信カラオケなどの従来のシステムにおいては、映像コンテンツは予め作成されているものであり配信用のサーバに保存されており、いかに多くの利用者に映像コンテンツを同時に配信するかが課題であり、この課題に対する改良技術が検討されてきていた。ネットワークビデオレコーダシステムもいかに多くの利用者に録画映像を同時に配信するかは課題であるが、それに加えて、どのようにして同時に複数の利用者が指定したカメラ位置での映像を録画するかという課題がある。この課題は従来システムには無い課題であり、従来システムにおいては検討がなされていない。
【０００４】
本発明は上述した問題点を解決するためのものであり、複数ユーザによる使用時おける利便性を向上させた映像録画装置及び映像録画装置の制御方法を提供することを目的とする。
【課題を解決するための手段】
【０００５】
上記目的を達成するために、本発明の映像録画装置は、録画予約に基づきカメラ装置からの映像を録画する映像録画装置であって、１つのカメラ装置に対し、同じ時間帯において複数のユーザから複数の録画予約があり、かつ前記それぞれの予約における撮像位置が異なるか否かを判断する判断手段と、前記判断手段により複数のユーザの撮像位置が異なると判断した場合、各ユーザの撮像位置を巡回して撮影するよう前記カメラ装置を制御し、各撮像位置における映像を録画するよう制御する制御手段と、を有することを特徴とする。
【０００６】
また、本発明の映像録画装置は、録画予約に基づきカメラ装置からの映像を録画する映像録画装置であって、１つのカメラ装置に対し、同じ時間帯において複数のユーザから複数の録画予約があり、かつ前記それぞれの予約における撮像位置が異なるか否かを判断する判断手段と、前記判断手段により複数のユーザの撮像位置が異なると判断した場合、各ユーザの撮像位置を含む広角範囲を撮影するよう前記カメラ装置を制御し、各撮像位置における映像を録画するよう制御する制御手段と、を有することを特徴とする。
【０００７】
また、本発明の映像録画装置の制御方法は、録画予約に基づきカメラ装置からの映像を録画する映像録画装置の制御方法であって、１つのカメラ装置に対し、同じ時間帯において複数のユーザから複数の録画予約があり、かつ前記それぞれの予約における撮像位置が異なるか否かを判断し、複数のユーザの撮像位置が異なると判断した場合は、各ユーザの撮像位置を巡回して撮影するよう前記カメラ装置を制御し、各撮像位置における映像を録画するよう制御することを特徴とする。
【０００８】
また、本発明の映像録画装置の制御方法は、録画予約に基づきカメラ装置からの映像を録画する映像録画装置の制御方法であって、１つのカメラ装置に対し、同じ時間帯において複数のユーザから複数の録画予約があり、かつ前記それぞれの予約における撮像位置が異なるか否かを判断し、複数のユーザの撮像位置が異なると判断した場合は、各ユーザの撮像位置を含む広角範囲を撮影するよう前記カメラ装置を制御し、各撮像位置における映像を録画するよう制御することを特徴とする。
【発明の効果】
【０００９】
本発明によれば、同じ時間帯に同じカメラ装置での異なる撮影位置での録画予約がされた場合、その時間帯では、それぞれの録画予約の撮影位置に、ある時間間隔毎に撮影位置を変更して巡回する映像を録画するため、他の利用者の録画予約による録画予約に可否が生じなく、システムの利便性が向上する。
【００１０】
また、同じ時間帯に同じカメラ装置での異なる撮影位置での録画予約がされた場合、その時間帯では、それぞれの録画予約の撮影位置が全て含まれる撮影位置を算出し、その撮影位置での映像を録画するため、他の利用者の録画指定による録画予約の可否が生じなく、システムの利便性が向上する。
【発明を実施するための最良の形態】
【００１１】
以下、図面を参照して本発明の実施の形態を説明する。
【００１２】
（第１の実施形態）
図１は、本実施形態のネットワークビデオレコーダシステムの全体構成である。図１において、１ａと１ｂは撮影した映像をネットワークに送信するカメラ装置、２はカメラ装置からの映像を録画し保存する映像録画装置、３ａと３ｂと３ｃは利用者が録画予約や映像表示に使用する端末装置、４はインターネットやイントラネットなどのネットワークである。
【００１３】
３ａや３ｂや３ｃの端末装置から映像録画装置２にアクセスし、時間帯とカメラ装置と撮影位置を指定してカメラ映像の録画予約を設定する。映像録画装置２は録画予約に従い１ａや１ｂのカメラ装置の映像を録画して保存する。３ａや３ｂや３ｃの端末装置から映像録画装置２にアクセスすることで録画映像が表示される。
【００１４】
図２は、ネットワークビデオレコーダシステムの機能ブロック構成図である。図１において、１は撮影した映像をネットワークに送信するカメラ装置、２はカメラ装置からの映像を録画し保存する映像録画装置、３は利用者が録画予約や映像表示に使用する端末装置である。映像録画装置２は、カメラ装置１の撮影位置を制御するカメラ制御部２１と、カメラ装置１からの映像を録画し保存する映像録画部２２と、端末装置３からアクセスし登録する録画予約を受け付ける予約受付部２５と、受け付けた録画予約を記憶する予約記憶部２３と、予約記憶部２３に記憶されている録画予約に基づいて撮影位置の移動と録画の開始を行う録画調整部２４と、を有している。
【００１５】
図３は、ユーザ１とユーザ２とユーザ３の３人の利用者が１台のカメラ装置に対して行った録画予約の設定時間の一例を示している。図３において、５１はユーザ１が行った録画予約、５２はユーザ２が行った録画予約、５３はユーザ３が行った録画予約、５４、５５、５６、５７、５８は録画予約の重なりによって分けて時間帯である。
【００１６】
図４は、複数の利用者が１台のカメラ装置に対して行った録画予約の撮影位置の一例を示している。６０はカメラ装置が撮影することができる撮影可能範囲、６１と６２と６３はそれぞれある利用者が指定した録画予約の撮影位置、６４は画像調整部にて算出した撮影位置である。
【００１７】
図５は、２３予約記憶部にて記憶される録画予約のレコード形式の一例である。ユーザ毎に、録画時刻、カメラ、撮影位置が記憶され、録画時刻として開始時刻と終了時刻、撮影位置としてパン、チルト、ズームの値が記憶される。
【００１８】
ネットワークビデオレコーダの利用者は、端末装置３を通じてカメラ装置と撮影位置と録画時間帯を指定して映像録画装置２に録画予約を送信する。録画予約は予約受付部２５で受信され予約記憶部２３に記憶される。
【００１９】
録画調整部２４は予約記憶部２３に記憶されている録画予約に従いカメラ制御部２１を通じてカメラ装置１の撮影位置を制御し、映像録画部２２にカメラ装置１からの映像を録画する。複数の利用者が録画予約を行った場合、それぞれが予約記憶部２３に記憶される。
【００２０】
１つのカメラ装置に対して、５１の時間帯に６１の撮影位置での録画予約、５２の時間帯に６２の撮影位置での録画予約、５３の時間帯に６３の撮影位置での録画予約がされている場合、録画調整部２４はそれぞれの録画予約から、５４の時間帯では６１の撮影位置での映像、５５の時間帯では６１の撮影位置と６２の撮影位置とをある時間間隔毎に巡回する映像、５６の時間帯では６１の撮影位置と６２の撮影位置と６３の撮影位置とをある時間間隔毎に巡回する映像、５７の時間帯では６２の撮影位置と６３の撮影位置とをある時間間隔毎に巡回する映像、５８の時間帯では６２の撮影位置での映像、となるように２１カメラ制御部を通して撮影位置を制御して、２２映像録画部に録画する。
【００２１】
図６は、録画調整部２４で実行される処理を示すフローチャートである。本処理は、録画調整部２４が内蔵するプログラムに基づき実行される。
【００２２】
まず、録画調整部２４が内蔵する時計より現在の時刻を参照するとともに（Ｓ６０１）、予約記憶部２３に記憶された、図５のテーブルを参照する（Ｓ６０２）。
【００２３】
次に、参照した現在の時刻とテーブルの録画時刻とに基づき、現在の時刻における録画予約があるか否かについて判断する（Ｓ６０３）。
【００２４】
ステップＳ６０３で録画予約がない場合は、カメラ装置１に関する所定の制御を行う（Ｓ６０４）。ここで所定の制御とは、撮影や画像送信を行わせないアイドリング状態にする制御や、予め決められた位置を撮影し続ける制御等がある。また、ここで、カメラ装置１の制御権を、他の制御装置に開放するようにしてもよい。そして、再びステップＳ６０１に戻り、録画予約があるまで、同じ処理を繰り返す。
【００２５】
ステップＳ６０３で録画予約がある場合は、複数ユーザによる予約があるかを判断する（Ｓ６０５）。ここで、１人のユーザによる予約であった場合は、そのユーザの撮影位置に従ったカメラ制御と映像録画を行う（Ｓ６０６）。例えば、図３の５４の時間帯に行う制御である。
【００２６】
ステップＳ６０５で複数のユーザによる予約があった場合は、その撮影位置が同じ位置であるかいなか判断し（Ｓ６０７）、同じであった場合は、１人のユーザの場合と同様の制御と録画を行う（Ｓ６０６）。
【００２７】
一方、ステップＳ６０７で異なる撮影位置であると判断した場合は、上述した巡回制御と録画を行う（Ｓ６０８）。
【００２８】
以上が本実施形態における処理であるが、システムの運用中における端末装置から録画予約が発生しない場合は、リアルタイムに上記処理を実行する必要はない。すなわち、この場合は、運用前に上記フローチャートに基づき、予め設定まった図５のテーブルから各時間におけるカメラ制御のスケジュールを計算し、各期間のカメラ制御方法をプリセット情報として保持しておき、実際運用するときは、各時刻においてその期間に対応するプリセット制御を実行するようにすればよい。
【００２９】
（第２の実施形態）
ネットワークビデオレコーダの利用者は、端末装置３を通じてカメラ装置と撮影位置と録画時間帯を指定して映像録画装置２に録画予約を送信する。録画予約は予約受付部２５で受信され予約記憶部２３に記憶される。
【００３０】
録画調整部２４は予約記憶部２３に記憶されている録画予約に従いカメラ制御部２１を通じてカメラ装置１の撮影位置を制御し、映像録画部２２にカメラ装置１からの映像を録画する。複数の利用者が録画予約を行った場合、それぞれが予約記憶部２３に記憶される。
【００３１】
１つのカメラ装置に対して、５１の時間帯に６１の撮影位置での録画予約、５２の時間帯に６２の撮影位置での録画予約、５３の時間帯に６３の撮影位置での録画予約がされている場合、２４録画調整部はそれぞれの録画予約で重なりのある時間帯のぞれぞれの録画予約の全て撮影位置を、撮影位置を広角にすることで撮影範囲に含めることができるかを判断し、含めることができる場合はその撮影位置に２１カメラ制御部を通して１カメラ装置を制御して、２２映像録画部に録画する。
【００３２】
撮影位置６１と６２からは、撮影位置６４が算出され、５５の時間帯では６４の撮影位置での映像を録画する。
【００３３】
本実施形態の処理は、図６のフローチャートに示すものと同様であり、Ｓ６０８の処理を、広角撮影制御に置き換えることにより実行できる。
【図面の簡単な説明】
【００３４】
【図１】ネットワークビデオレコーダシステムの全体図
【図２】ネットワークビデオレコーダシステムの機能構成図
【図３】録画予約の時間帯の一例
【図４】録画予約の撮影位置の一例
【図５】録画予約のレコード例
【図６】第１の実施形態のフローチャート
【符号の説明】
【００３５】
１  カメラ装置
２  映像録画装置
３  端末装置
４  ネットワーク
２１  カメラ制御部
２２  映像録画部
２３  予約記憶部
２４  録画調整部
２５  予約受付部
５１  録画予約の時間帯
５２  録画予約の時間帯
５３  録画予約の時間帯
５４  時間帯
５５  時間帯
５６  時間帯
５７  時間帯
５８  時間帯
６０  撮影可能範囲
６１  録画予約の撮影位置
６２  録画予約の撮影位置
６３  録画予約の撮影位置
６４  算出した撮影位置
【図１】
2006129159.tif 000003
【図２】
2006129159.tif 000004
【図３】
2006129159.tif 000005
【図４】
2006129159.tif 000006
【図５】
2006129159.tif 000007
【図６】
2006129159.tif 000008